(57)【要約】【課題】  ビール瓶等を運送する際に使用される運搬容器に取り付ける運搬容器用取付具に係るものであって、特に取り付けを容易に行うことができ、宣伝、広告等の表示部を広く設けるとともに、取手部を設けた運搬容器用取付具を提供する。【解決手段】  貫通孔を有する４枚の側面が底面より立設して形成される運搬容器は内側に瓶等を収納する為の区画を形成する仕切板を底面より立設してなり、貫通孔の外側から挿通して仕切板に係合する係合片を備える運搬容器用取付具において、側面の外側面を覆設する表示部と、側面の貫通孔と連通し表示部に形成される取手孔と、表示部に折曲線を除いて連設した切り込みから形成される係合片とを備え、係合片の縁部から切り込まれ仕切板と係合するスリットを備えたことを特徴とする運搬容器用取付具。【選択図】  図２
0003156328.tif 000002
【実用新案登録請求の範囲】
【請求項１】
貫通孔を有する４枚の側面が底面より立設して形成される運搬容器は内側に瓶等を収納する為の区画を形成する仕切板を底面より立設してなり、
貫通孔の外側から挿通して仕切板に係合する係合片を備える運搬容器用取付具において、
側面の外側面を覆設する表示部と、
側面の貫通孔と連通し表示部に形成される取手孔と、
表示部に折曲線を除いて連設した切り込みから形成される係合片とを備え、
係合片の縁部から切り込まれ仕切板と係合するスリットを備えたことを特徴とする運搬容器用取付具。
【請求項２】
上方に位置する折曲線を除いて連設した切り込みから形成される折曲片であって、当該折曲片を貫通孔の外側から挿通することで形成される切り込みの外形を取手孔の外形とする請求項１に記載の運搬容器用取付具。
【請求項３】
折曲片は側面の貫通孔の上縁部と当接する第１折曲片と、第１折曲片から上方へ折曲されて側面の内側面と当接する第２折曲片とを備える請求項２に記載の運搬容器用取付具。
【請求項４】
係合片は側面の貫通孔の下縁部と当接する第１折曲片と、第１折曲片から下方へ折曲されて側面の内側面と当接する第２折曲片とを備え、
スリットが第２折曲片の下縁部に形成される請求項１乃至請求項３のいずれか１項に記載の運搬容器用取付具。
【請求項５】
側面の外側面を覆設する表示部の外形は、側面における貫通孔の左右縁部であって側面の上下方向に形成される縦リブと、側面の上下縁部である上縁部、下縁部の夫々に当接する請求項１乃至請求項４のいずれか１項に記載の運搬容器用取付具。
【考案の詳細な説明】
【技術分野】
【０００１】
本考案は、ビール瓶等を運送する際に使用される運搬容器に取り付ける運搬容器用取付具に係るものであって、特に取り付けを容易に行うことができるとともに、宣伝、広告等の表示部を広く設けた運搬容器用取付具に関するものである。
【背景技術】
【０００２】
従来より、宣伝、広告等の表示部を備え、粘着テープ等を用いずに運搬容器の側面に取り付けることができる運搬容器用取付具が公知である。例えば、側面貫通孔に対応して側面貫通孔を閉塞する、販売促進用表示をする販促表示部と、販促表示部から上方に延び、側面貫通孔の外側から内側に挿入される上部挿入舌片と、販促表示部から下方に延び、側面貫通孔の外側から内側に挿入される下部挿入舌片と、この下部挿入舌片に備えられた、運搬容器の仕切板の下端に係合する鉤部とを有するものである（例えば、特許文献１参照）。
【先行技術文献】
【特許文献】
【０００３】
【特許文献１】実用新案登録第３１０４８６８号公報
【０００４】
当該特許文献１に係る構造では、運搬の際に、取手部となり得る側面貫通孔を販促表示部にて閉塞してしまうので、当該箇所を取手部とすることができないものである。従って、運搬容器の上縁部に指を掛けなければならず、指を掛ける箇所が少なく、指に掛かる負担が大きくなる又は十分に力を入れることができない虞があった。
【考案の概要】
【考案が解決しようとする課題】
【０００５】
そこで、本考案はこのような問題点を解決するものであって、ビール瓶等を運送する際に使用される運搬容器に取り付ける運搬容器用取付具に係るものであって、特に取り付けを容易に行うことができ、宣伝、広告等の表示部を広く設けるとともに、取手部を設けた運搬容器用取付具を提供することを課題とする。
【課題を解決するための手段】
【０００６】
前記問題点を解決するために、本考案の請求項１に記載の考案の運搬容器用取付具は、貫通孔を有する４枚の側面が底面より立設して形成される運搬容器は内側に瓶等を収納する為の区画を形成する仕切板を底面より立設してなり、貫通孔の外側から挿通して仕切板に係合する係合片を備える運搬容器用取付具において、側面の外側面を覆設する表示部と、側面の貫通孔と連通し表示部に形成される取手孔と、表示部に折曲線を除いて連設した切り込みから形成される係合片とを備え、係合片の縁部から切り込まれ仕切板と係合するスリットを備えたものである。
【０００７】
また、本考案の請求項２に記載の考案の運搬容器用取付具は、請求項１に記載の運搬容器用取付具において、上方に位置する折曲線を除いて連設した切り込みから形成される折曲片であって、当該折曲片を貫通孔の外側から挿通することで形成される切り込みの外形を取手孔の外形とするものである。
【０００８】
また、本考案の請求項３に記載の考案の運搬容器用取付具は、請求項２に記載の運搬容器用取付具において、折曲片は側面の貫通孔の上縁部と当接する第１折曲片と、第１折曲片から上方へ折曲されて側面の内側面と当接する第２折曲片とを備えるものである。
【０００９】
また、本考案の請求項４に記載の考案の運搬容器用取付具は、請求項１乃至請求項３のいずれか１項に記載の運搬容器用取付具において、係合片は側面の貫通孔の下縁部と当接する第１折曲片と、第１折曲片から下方へ折曲されて側面の内側面と当接する第２折曲片とを備え、スリットが第２折曲片の下縁部に形成されるものである。
【００１０】
また、本考案の請求項５に記載の考案の運搬容器用取付具は、請求項１乃至請求項４のいずれか１項に記載の運搬容器用取付具において、側面の外側面を覆設する表示部の外形は、側面における貫通孔の左右縁部であって側面の上下方向に形成される縦リブと、側面の上下縁部である上縁部、下縁部の夫々に当接するものである。
【考案の効果】
【００１１】
本考案の請求項１に記載の運搬容器用取付具では、係合片を側面の貫通孔に挿入し、スリットを仕切板に係合させるだけで運搬容器に取り付けられるので、取り付けを容易に行うことができる。よって、従来と同様にして、粘着テープ等を用いずに取り付けを行うことができる。
更に、側面の貫通孔と連通し表示部に形成する取手孔を設けるので、当該箇所を取手部とすることができ、運搬時の効率を向上させることができる。また、運搬容器に瓶を収納させた際においては、当該瓶の側面が係合片と当接し、側面側へ押圧するので、運搬容器用取付具の不用意な脱離を防止することができる。
【００１２】
本考案の請求項２及び請求項３に記載の運搬容器用取付具では、側面における貫通孔の上縁部に直接指を掛けて運搬容器を把持するのではなく、切り込みにより形成される折曲片を介して運搬容器を把持することができるので、指に掛かる負担を軽減することができる。
【００１３】
本考案の請求項４に記載の運搬容器用取付具では、側面における貫通孔の下縁部と係合片における第１折曲片とが当接し、側面の内側面と第１折曲片から下方へ折曲される第２折曲片とが当接した状態で、係合片が仕切板に係合されるので、上下方向にガタつくのを防止することができる。
【００１４】
本考案の請求項５に記載の運搬容器用取付具では、運搬容器用取付具の上下縁部と運搬容器における夫々の上下縁部を一致させ、更に運搬容器用取付具の左右縁部と側面における貫通孔の左右縁部であって側面の上下方向に形成される縦リブとを夫々一致させるので、運搬容器用取付具を運搬容器に取り付けた状態において、意匠性を向上させることができる。
【図面の簡単な説明】
【００１５】
【図１】本考案の実施例における運搬容器用取付具の正面図である。
【図２】本考案の実施例における運搬容器用取付具を運搬容器に取り付ける前の斜視図である。
【図３】本考案の実施例における運搬容器用取付具を運搬容器に取り付けた後の斜視図である。
【図４】本考案の実施例における運搬容器用取付具を運搬容器に取り付けた後の図３のＰ−Ｐ拡大断面図である。
【図５】本考案の実施例における運搬容器用取付具を運搬容器に取り付けた後の図３のＱ−Ｑ拡大断面図である。
【考案を実施するための形態】
【００１６】
以下、本考案の実施の形態における運搬容器用取付具を図面に基づいて説明する。
【実施例】
【００１７】
本考案に係る運搬容器用取付具１は、図１に示すように、例えば段ボール、ボール紙、厚手の紙等であって、略長方形状の板状体からなり、宣伝、広告等を印刷する若しくは景品等を固着する為の表示部２、取手部３及び運搬容器６と係合する為の係合片４とから構成されている。
【００１８】
取手部３は、略Ｕ字状の切り込みａと２本の折曲線ｂ及びｃとから形成され、表示部２の上方であって、幅方向の略中央部に位置してなる。当該折曲線ｂは表示部２の上辺と平行な直線であって、切り込みａの両端部を結び、折曲線ｃは折曲線ｂの下方に位置する同様の直線であって、切り込みａの両端部以外の箇所を結んでなる。折曲線ｂ及びｃにて区画される第１折曲片３ａは、略長方形状の外形で後述する運搬容器６の厚さと略同等の幅を有してなる。また、折曲線ｃ及び切り込みａにて区画される第２折曲片３ｂは、運搬容器６の内側方向への折返し部とされる。
【００１９】
係合片４は、略Ｕ字状の切り込みｄと２本の折曲線ｅ及びｆとから形成され、表示部２における略中央部の僅かに下方に位置してなる。当該折曲線ｅは表示部２の上辺と平行な直線であって、切り込みｄの両端部を結び、折曲線ｆは折曲線ｅの下方に位置する同様の直線であって、切り込みｄの両端部以外の箇所を結んでなる。折曲線ｅ及びｆにて区画される第１折曲片４ａは、略長方形状の外形で、第１折曲片３ａと同様に後述する運搬容器６の厚さと略同等の幅を有してなる。また、折曲線ｆ及び切り込みｄにて区画される第２折曲片４ｂは、切り込みｄの下縁部から上方へと切り込みにて形成されるスリット４ｃを有してなる。当該スリット４ｃは、第２折曲片４ｂにおける幅方向の略中央部に位置し、運搬容器６の仕切板１０と係合し得る幅を有してなる。後述する運搬容器６の形状に応じてスリット４ｃの位置、個数は適宜変更することができる。係合片４の周囲に、切り込みｄと略相似形状の貫通孔５を設けることもできる。
【００２０】
運搬容器６は、図２に示すように、２枚の短側面７と２枚の長側面８とが底面９より立設することで形成される。また、運搬容器６の内側には、底面９よりビール瓶等を区画して収納する為の仕切板１０が立設されている。当該仕切板１０は、例えば短側面７方向を４分割、長側面８方向を５分割するように設けられている。
【００２１】
短側面７及び長側面８には、縦幅が略同様で、横幅が相違する側面貫通孔７ａと８ａが夫々形成されている。側面貫通孔７ａ及び８ａは、短側面７及び長側面８の上方に形成され、当該貫通孔の左右縁部には縦リブ７ｂ及び８ｂが形成され、当該貫通孔の上縁部には横リブ７ｅ及び８ｅが夫々形成される。また、短側面７及び長側面８の上下縁部には、上縁部７ｃ、８ｃ及び下縁部７ｄ、８ｄが形成される。仕切板１０の高さは、側面貫通孔７ａと８ａにおける下縁部７ｄ、８ｄの下方位置まで延設される。
【００２２】
図２乃至図５に示すようにして、運搬容器用取付具１は運搬容器６に取り付けられる。まず、取手部３における第１折曲片３ａ及び第２折曲片３ｂを折曲線ｂにて折曲させ、係合片４における第１折曲片４ａ及び第２折曲片４ｂを折曲線ｅにて折曲させる。次に、折曲させた取手部３及び係合片４を側面貫通孔７ａの外側から挿入させる。このとき、図４に示すように、取手部３の第１折曲片３ａは側面貫通孔７ａの上縁部と当接し、係合片４の第１折曲片４ａは側面貫通孔７ａの下縁部と当接する。
【００２３】
その後、図４及び図５に示すように、短側面７の内面に当接させながら、取手部３における折曲線ｃを介して第２折曲片３ｂを上方へと折曲させる。これにより、略Ｕ字状の切り込みａ及び折曲線ｂが取手孔３ｃを形成し、側面貫通孔７ａと連通するので、当該部分を取手部とすることができる。
【００２４】
一方、同図に示すように、短側面７の内面に当接させながら、係合片４における折曲線ｆを介して第２折曲片４ｂを下方へと折曲させ、スリット４ｃを仕切板１０と係合させる。このとき、図３に示すようにして、運搬容器用取付具１の外形は縦リブ７ｂ、上縁部７ｃ及び下縁部７ｄにおける夫々と当接し、運搬容器用取付具１の下面は横リブ７ｅと当接し、貫通孔５から短側面７が露呈した状態となる。これにより、運搬容器用取付具１を運搬容器６に取り付けた状態において、意匠性を向上させることができる。このようにして、運搬容器用取付具１は運搬容器６に取り付けられる。
【００２５】
以上、説明した本考案に係る運搬容器用取付具１によれば、取手部３及び係合片４を折曲させて短側板７における側面貫通孔７ａに挿入し、係合片４における第２折曲片４ｂのスリット４ｃを仕切板１０に係合させるだけで、取り付けを容易に行うことができる。また、従来と同様にして、粘着テープ等を用いずに取り付けを行うことができる。更に、取手部３における切り込みａ及び折曲線ｂが側面貫通孔７ａと連通する取手孔３ｃを形成するので、当該箇所を取手とすることができ、運搬時の効率を向上させることができる。また、運搬容器６に瓶を収納した際には、当該瓶の側面が係合片４の第２折曲片４ｂと当接し、短側面７側へ押圧するので、運搬容器用取付具１の不用意な脱離を防止することができる。更に、取手部３及び係合片４を小さく設けることで、表示部２の面積を大きくすることができ、宣伝、広告等を印刷する若しくは景品等を固着するスペースを広くすることができる。
【００２６】
また、短側板７における側面貫通孔７ａの上縁部に直接指を掛けて運搬容器６を把持するのではなく、切り込みａにより形成される第１折曲片３ａ及び第２折曲片３ｂを介して運搬容器６を把持することができるので、指に掛かる負担を軽減することができる。また、折曲線ｂの長さを変更させることで、指を掛ける箇所を広くすることができる。
【００２７】
更に、側面貫通孔７ａの下縁部と折曲片４における第１折曲片４ａとが当接し、短側面７の内側面と第１折曲片４ａから下方へ折曲される第２折曲片４ｂが当接した状態で、係合片４が仕切板１０に係合されるので、運搬容器用取付具１が上下方向にガタつくのを防止することができる。
【００２８】
また、上記実施例に限られることなく、運搬容器用取付具１における表示部２の幅を広く設けることで、長側面８にも取り付けることができる。係る場合において、運搬容器６に確実に固着する為に第２折曲片４ｂにおけるスリット４ｃを複数個設けることが望ましい。
【００２９】
更に、取手部３において、運搬容器６の内側方向への折返し部とされる第２折曲片３ｂは設けなくてもよいし、折曲片を設けることなく取手孔３ｃのみとしてもよいものである。係る場合において、手若しくは指を通し易くする為に、取手孔３ｃの上辺を側面貫通孔７ａの上縁部と一致させることが望ましい。
【００３０】
また、係合片４において、運搬容器６の内側方向への折返し部とされる第１折曲片４ａを設けることなく第２折曲片４ｂのみとしてもよいものである。
【符号の説明】
【００３１】
１      運搬容器用取付具
２      表示部
３      取手部
３ａ    第１折曲片
３ｂ    第２折曲片
３ｃ    取手孔
４      係合片
４ａ    第１折曲片
４ｂ    第２折曲片
４ｃ    スリット
５      貫通孔
６      運搬容器
７      短側面
７ａ    側面貫通孔
７ｂ    縦リブ
７ｃ    上縁部
７ｄ    下縁部
７ｅ    横リブ
８      長側面
８ａ    側面貫通孔
８ｂ    縦リブ
８ｃ    上縁部
８ｄ    下縁部
８ｅ    横リブ
９      底面
１０    仕切板
ａ、ｄ  切り込み
ｂ、ｃ、ｅ、ｆ  折曲線
【図１】
0003156328.tif 000003
【図２】
0003156328.tif 000004
【図３】
0003156328.tif 000005
【図４】
0003156328.tif 000006
【図５】
0003156328.tif 000007